(57)【要約】【課題】  セルラーネットワークブロードキャスト情報を１以上のモバイルステーションに通信する方法を提供すること。【解決手段】  本発明の通信方法は、１以上の利用可能なセルラーネットワーク（２００）に関連づけられたセルラーネットワークブロードキャスト情報を受信するステップと、セルラーネットワークブロードキャスト情報を、１以上の利用可能なセルラーネットワーク（２００）に関連づけられた異なるセルラー標準に従って内容およびフォーマットにおいて変動するジェネリックコンテナメッセージ（６０２）にフォーマットするステップと、１以上の利用可能なセルラーネットワークの中から通信するための１つを選択するモバイルステーション（２０２）によって受信し使用するために、拡張可能な認証手順においてジェネリックコンテナメッセージ（６０２）を送信するステップとを包含する。【選択図】  図４
2005137013.tif 000002
【特許請求の範囲】
【請求項１】
ワイヤレスローカルエリアネットワーク（３０４）によって、セルラーネットワークブロードキャスト情報を１以上のモバイルステーションに通信する方法であって、
１以上の利用可能なセルラーネットワーク（２００）またはネットワークデータベースから、該１以上の利用可能なセルラーネットワーク（２００）に関連づけられたセルラーネットワークブロードキャスト情報を受信するステップと、
該セルラーネットワークブロードキャスト情報を、該１以上の利用可能なセルラーネットワーク（２００）に関連づけられた異なるセルラー標準に従って内容およびフォーマットにおいて変動するジェネリックコンテナメッセージ（６０２）にフォーマットするステップと、
該１以上の利用可能なセルラーネットワークの中から通信するための１つを選択するモバイルステーション（２０２）によって受信し使用するために、拡張可能な認証手順において該ジェネリックコンテナメッセージ（６０２）を送信するステップと
を包含する、方法。
【請求項２】
前記ジェネリックコンテナメッセージ（６０２）は、技術に特有なコンテナ（６１２）を含む、請求項１に記載の方法。
【請求項３】
前記ジェネリックコンテナメッセージ（６０２）は、該ジェネリックコンテナメッセージ（６０２）を識別するためのタグフィールド（６０４）を含む、請求項１に記載の方法。
【請求項４】
前記ジェネリックコンテナメッセージ（６０２）は、第１のセルラーネットワークに関連づけられた技術標準または標準組織を識別するためのデータフィールド（６１０）を含む、請求項１に記載の方法。
【請求項５】
前記セルラーネットワークブロードキャスト情報は、前記第１のセルラーネットワークを識別する第１のセルラーネットワーク情報を含む、請求項４に記載の方法。
【請求項６】
前記１以上の利用可能なセルラーネットワーク（２００）は、複数のセルラーネットワークを含む、請求項１に記載の方法。
【請求項７】
前記セルラーネットワークブロードキャスト情報は、
第１のセルラーネットワークからの第１のセルラーネットワーク情報と、
第２のセルラーネットワークからの第２のセルラーネットワーク情報と
を含む、請求項１に記載の方法。
【請求項８】
前記第１のセルラーネットワーク情報は、第１の情報内容を有しており、前記第２のセルラーネットワーク情報は、該第１の情報内容とは異なる第２の情報内容を有している、請求項７に記載の方法。
【請求項９】
前記セルラーネットワークブロードキャスト情報は、
第１のセルラーネットワークを識別する第１のセルラーネットワーク情報と、
第２のセルラーネットワークを識別する第２のセルラーネットワーク情報と
を含む、請求項１に記載の方法。
【請求項１０】
前記セルラーネットワークブロードキャスト情報は、第１のセルラーネットワークを識別するモバイルネットワークコード（ＭＮＣ）およびモバイル国コード（ＭＣＣ）を含む、請求項１に記載の方法。
【請求項１１】
モバイルステーション（２０２）によって、ワイヤレスローカルエリアネットワーク（３０４）からセルラーネットワークブロードキャスト情報を受信し、処理する方法であって、
拡張可能な認証手順においてワイヤレスローカルエリアネットワーク（３０４）からジェネリックコンテナメッセージ（６０２）を受信するステップであって、該ジェネリックコンテナメッセージ（６０２）は、該１以上の利用可能なセルラーネットワーク（２００）に関連づけられたセルラーネットワークブロードキャスト情報を含み、１以上の利用可能なセルラーネットワーク（２００）に関連づけられた異なるセルラー標準に従って内容およびフォーマットにおいて変動する、ステップと、
該ジェネリックコンテナメッセージ（６０２）をデコードすることにより、該１以上の利用可能なセルラーネットワーク（２００）に関連づけられた該セルラーネットワークブロードキャスト情報を識別するステップと、
該セルラーネットワークブロードキャスト情報を該モバイルステーション（２０２）のメモリに格納するステップと、
該メモリに格納された該セルラーネットワークブロードキャスト情報を用いて、該１以上の利用可能なセルラーネットワーク（２００）の中から通信するための１つを選択するステップと
を包含する、方法。
【請求項１２】
前記ジェネリックコンテナメッセージ（６０２）は、技術に特有なコンテナ（６１２）を含む、請求項１１に記載の方法。
【請求項１３】
前記ジェネリックコンテナメッセージ（６０２）は、該ジェネリックコンテナメッセージ（６０２）を識別するためのタグフィールド（６０４）を含む、請求項１１に記載の方法。
【請求項１４】
前記ジェネリックコンテナメッセージ（６０２）は、第１のセルラーネットワークに関連づけられた技術標準または標準組織を識別するためのデータフィールド（６１０）を含む、請求項１１に記載の方法。
【請求項１５】
前記セルラーネットワークブロードキャスト情報は、
第１のセルラーネットワークからの第１のセルラーネットワーク情報と、
第２のセルラーネットワークからの第２のセルラーネットワーク情報と
を含む、請求項１１に記載の方法。
【請求項１６】
前記セルラーネットワークブロードキャスト情報は、第１のセルラーネットワークを識別するモバイルネットワークコード（ＭＮＣ）およびモバイル国コード（ＭＣＣ）を含む、請求項１１に記載の方法。
【請求項１７】
前記セルラーネットワークブロードキャスト情報は、第１のセルラーネットワークを識別する第１のセルラーネットワーク情報と、第２のセルラーネットワークを識別する第２のセルラーネットワーク情報とを含み、
前記方法は、該ワイヤレスローカルエリアネットワーク（３０４）を介した通信のために、該第１および第２のセルラーネットワークのうちの一方を選択するステップをさらに包含する、請求項１１に記載の方法。
【請求項１８】
前記第１のセルラーネットワークは、第１の通信標準に従って動作し、
前記第２のセルラーネットワークは、該第１の通信標準とは異なる第２の通信標準に従って動作する、請求項１５に記載の方法。
【請求項１９】
前記第１のセルラーネットワーク情報は、第１の情報内容を有しており、前記第２のセルラーネットワーク情報は、該第１の情報内容とは異なる第２の情報内容を有している、請求項１５に記載の方法。
【請求項２０】
前記セルラーネットワークのうちの１つは、３ｒｄ  Ｇｅｎｅｒａｔｉｏｎ  Ｐａｒｔｎｅｒｓｈｉｐ  Ｐｒｏｊｅｃｔ標準に従って動作する、請求項１１に記載の方法。
【請求項２１】
前記セルラーネットワークブロードキャスト情報は、第１のセルラーネットワークを識別するシステム識別（ＳＩＤ）を含む、請求項１に記載の方法。
【請求項２２】
前記セルラーネットワークブロードキャスト情報は、第１のセルラーネットワークを識別するシステム識別（ＳＩＤ）を含む、請求項１１に記載の方法。
【請求項２３】
ワイヤレスローカルエリアネットワーク（３０４）であって、
１以上の利用可能なセルラーネットワーク（２００）またはネットワークデータベースから、該１以上の利用可能なセルラーネットワーク（２００）に関連づけられたセルラーネットワークブロードキャスト情報を受信することと、
該セルラーネットワークブロードキャスト情報を、該１以上の利用可能なセルラーネットワーク（２００）に関連づけられた異なるセルラー標準に従って内容およびフォーマットにおいて変動するジェネリックコンテナメッセージ（６０２）にフォーマットすることと、
該１以上の利用可能なセルラーネットワークの中から通信するための１つを選択するモバイルステーション（２０２）によって受信し使用するために、拡張可能な認証手順において該ジェネリックコンテナメッセージ（６０２）を送信することと
によって、セルラーネットワークブロードキャスト情報を１以上のモバイルステーションに通信するように適合されたワイヤレスローカルエリアネットワーク（３０４）。
【請求項２４】
前記ジェネリックコンテナメッセージ（６０２）は、技術に特有なコンテナ（６１２）を含む、請求項２３に記載のワイヤレスローカルエリアネットワーク。
【請求項２５】
前記ジェネリックコンテナメッセージ（６０２）は、該ジェネリックコンテナメッセージ（６０２）を識別するためのタグフィールド（６０４）を含む、請求項２３に記載のワイヤレスローカルエリアネットワーク。
【請求項２６】
前記ジェネリックコンテナメッセージ（６０２）は、第１のセルラーネットワークに関連づけられた技術標準または標準組織を識別するためのデータフィールド（６１０）を含む、請求項２３に記載のワイヤレスローカルエリアネットワーク。
【請求項２７】
前記セルラーネットワークブロードキャスト情報は、前記第１のセルラーネットワークを識別する第１のセルラーネットワーク情報を含む、請求項２６に記載のワイヤレスローカルエリアネットワーク。
【請求項２８】
前記１以上の利用可能なセルラーネットワーク（２００）は、複数のセルラーネットワークを含む、請求項２３に記載のワイヤレスローカルエリアネットワーク。
【請求項２９】
前記セルラーネットワークブロードキャスト情報は、
第１のセルラーネットワークからの第１のセルラーネットワーク情報と、
第２のセルラーネットワークからの第２のセルラーネットワーク情報と
を含む、請求項２３に記載のワイヤレスローカルエリアネットワーク。
【請求項３０】
コントローラ（１０６）と、
該コントローラ（１０６）に結合されたメモリと、
該コントローラ（１０６）に結合された無線周波数（ＲＦ）トランシーバ（１０８）と、
該ＲＦトランシーバ（１０８）に結合されたアンテナ（１１０）と
を備えたモバイルステーション（１０２）であって、
該モバイルステーション（１０２）は、拡張可能な認証手順においてワイヤレスローカルエリアネットワーク（３０４）からジェネリックコンテナメッセージ（６０２）を受信するように動作可能であり、該ジェネリックコンテナメッセージ（６０２）は、該１以上の利用可能なセルラーネットワーク（２００）に関連づけられたセルラーネットワークブロードキャスト情報を含み、１以上の利用可能なセルラーネットワーク（２００）に関連づけられた異なるセルラー標準に従って内容およびフォーマットにおいて変動し、
該モバイルステーション（１０２）は、該ジェネリックコンテナメッセージ（６０２）をデコードすることにより、該１以上の利用可能なセルラーネットワーク（２００）に関連づけられた該セルラーネットワークブロードキャスト情報を識別するようにさらに動作可能であり、
該モバイルステーション（１０２）は、該セルラーネットワークブロードキャスト情報を該モバイルステーション（２０２）のメモリに格納するようにさらに動作可能であり、
該モバイルステーション（１０２）は、該メモリに格納された該セルラーネットワークブロードキャスト情報を用いて、該１以上の利用可能なセルラーネットワーク（２００）の中から通信するための１つを選択するようにさらに動作可能である、モバイルステーション（１０２）。
【請求項３１】
前記ジェネリックコンテナメッセージ（６０２）は、技術に特有なコンテナ（６１２）を含む、請求項３０に記載のモバイルステーション（１０２）。
【請求項３２】
前記ジェネリックコンテナメッセージ（６０２）は、該ジェネリックコンテナメッセージ（６０２）を識別するためのタグフィールド（６０４）を含む、請求項３０に記載のモバイルステーション（１０２）。
【請求項３３】
前記ジェネリックコンテナメッセージ（６０２）は、第１のセルラーネットワークに関連づけられた技術標準または標準組織を識別するためのデータフィールド（６１０）を含む、請求項３０に記載のモバイルステーション（１０２）。
【請求項３４】
前記セルラーネットワークブロードキャスト情報は、
第１のセルラーネットワークからの第１のセルラーネットワーク情報と、
第２のセルラーネットワークからの第２のセルラーネットワーク情報と
を含む、請求項３０に記載のモバイルステーション（１０２）。
【請求項３５】
前記セルラーネットワークブロードキャスト情報は、第１のセルラーネットワークを識別するモバイルネットワークコード（ＭＮＣ）およびモバイル国コード（ＭＣＣ）を含む、請求項３０に記載のモバイルステーション（１０２）。
【請求項３６】
前記モバイルステーション（１０２）は、そのセットサービス識別子、すなわち、”ＳＳＩＤ”に関連するセルラーネットワークに対して前記セルラーネットワークブロードキャスト情報を格納するようにさらに動作可能である、請求項３０に記載のモバイルステーション（１０２）。
【請求項３７】
前記セルラーネットワークブロードキャスト情報は、第１のセルラーネットワークを識別するシステム識別（ＳＩＤ）を含む、請求項３０に記載のモバイルステーション（１０２）。
【発明の詳細な説明】
【技術分野】
【０００１】
本発明は、一般に、セルラーネットワークおよびワイヤレスローカルエリアネットワーク（ＷＬＡＮ）と通信するモバイルステーションに関し、より詳細には、ＷＬＡＮを介して１以上のセルラーネットワークからモバイルステーションにセルラーネットワーク情報を通信することに関する。
【背景技術】
【０００２】
セルラー産業では、モバイルステーションがセルラーネットワークとより高い帯域幅を提供するＷＬＡＮｓとの両方にアクセスすることができるように、セルラーテレコミュニケーションネットワークと通信するようにワイヤレスローカルエリアネットワーク（ＷＬＡＮｓ）を構成するイニシャティブがある。伝統的には、ＷＬＡＮｓは、ワイヤレスローカルネットワーキングのみを提供するように設計されていたので、どのセルラーネットワークがモバイルステーションに利用可能かを識別するための通知を提供する既存のプロトコルはなかった。そのような情報は、異なるセルラーネットワークおよび／または所望されるセルラーネットワーク技術を識別し、それらの間をスイッチする能力をモバイルステーションに提供するために有用であろう。
【０００３】
多くの異なる３ｒｄ  Ｇｅｎｅｒａｔｉｏｎ  Ｐａｒｔｎｅｒｓｈｉｐ  Ｐｒｏｊｅｃｔ（３ＧＰＰ）ネットワークと通信することができるようにＷＬＡＮｓを構成するさらなるイニシャティブがある。そのような構成は、エンドユーザもしくは加入者を識別するためにモバイルステーションによって利用されるＵｎｉｖｅｒｓａｌ  Ｓｕｂｓｃｒｉｂｅｒ  Ｉｄｅｎｔｉｔｙ  Ｍｏｄｕｌｅ（Ｕ−ＳＩＭ）を必要とする。Ｕ−ＳＩＭは、モバイルステーションに対して好適なセルラーネットワークおよび禁止されたセルラーネットワークを識別する情報を含む。各情報は、モバイル国コード（ＭＣＣ）およびモバイルネットワークコード（ＭＮＣ）の対として格納される。
【０００４】
ワイヤレスリンクを介して、ＷＬＡＮは、典型的には、ＷＬＡＮを一意に識別するためにサービスセット識別子（ＳＳＩＤ）と呼ばれるテキストのストリングをワイヤレスユニットにブロードキャストする。今日では、大半のＷＬＡＮｓは、会社や、ブランドのために、もしくは、”スマートクライアント（ｓｍａｒｔ  ｃｌｉｅｎｔ）”のアプリケーションのために特定のＳＳＩＤを使用するワイヤレスインターネットサービスプロバイダ（ＩＳＰｓ）によって展開されている。このように、ＷＬＡＮオペレータは、典型的には、ブロードキャストＳＳＩＤを変更することに消極的であり、何らかのプロトコルの改変なしに、ＷＬＡＮｓを介してＭＣＣ／ＭＮＣ対をモバイルステーションにブロードキャストすることは困難である。他のセルラーネットワーク情報は、ネットワーク選択を決定するためにワイヤレスユニットに有用であり得る。
【０００５】
Ｉｎｔｅｒｎｅｔ  Ｅｎｇｉｎｅｅｒｉｎｇ  Ｔａｓｋ  Ｆｏｒｃｅ（ＩＥＴＦ）は、ＲＦＣ−２２８４において、認証プロセスの容易な拡張性および維持のためにＥｘｔｅｎｓｉｂｌｅ  Ａｕｔｈｅｎｔｉｃａｔｉｏｎ  Ｐｒｏｔｏｃｏｌ（ＥＡＰ）を定義している。Ｇｌｏｂａｌ  Ｓｙｓｔｅｍ  ｆｏｒ  Ｍｏｂｉｌｅ  ｃｏｍｍｕｎｉｃａｔｉｏｎｓ（ＧＳＭ）を提供するようにＥＡＰメカニズムを拡張する提案がある。ネットワークおよびモバイルステーションのためのいくつかの異なるセルラープロトコルが存在する。しかし、すべてのそのような情報の通信を扱う技術が必要とされている。
【０００６】
本願に関連する文献は、以下の文献（１）〜（３）を含む。
【非特許文献１】（１）Ｈａｖｅｒｉｎｅｎ  ｅｔ  ａｌ．，”Ｃｅｌｌｕｌａｒ  Ａｃｃｅｓｓ  Ｃｏｎｔｒｏｌ  Ａｎｄ  Ｃｈａｒｇｉｎｇ  Ｆｏｒ  Ｍｏｂｉｌｅ  Ｏｐｅｒａｔｏｒ  Ｗｉｒｅｌｅｓｓ  Ｌｏｃａｌ  Ａｒｅａ  Ｎｅｔｗｏｒｋｓ”，ＩＥＥＥ，Ｗｉｒｅｌｅｓｓ  Ｃｏｍｍｕｎｉｃａｔｉｏｎｓ，ＩＥＥＥ  Ｓｅｒｖｉｃｅ  Ｃｅｎｔｅｒ，Ｐｉｓｃａｔａｗａｙ，Ｎ．Ｊ．ＵＳＡ，Ｖｏｌ．９，ｎｏ．９，２００２年１２月（２００２−１２）第５２頁〜第６０頁，ＸＰ００１１４３４６８  ＩＳＳＮ：１０７０−９９１６
【特許文献１】（２）ＵＳ２００３／１１９４８１  Ａ１，Ａｈｍａｖａａｒａ  Ｋａｌｌｅ  ｅｔ  ａｌ．，２００３年６月２６日
【非特許文献２】（３）Ｈａｖｅｒｉｎｅｎ  ａｎｄ  Ｓａｌｏｗｅｙ，”ＥＡＰ  ＳＩＭ  Ａｕｔｈｅｎｔｉｃａｔｉｏｎ，  ｄｒａｆｔ−ｈａｖｅｒｉｎｅｎ−ｐｐｐｅｘｔ−ｅａｐ−ｓｉｍ−１２．ｔｘｔ”，Ｎｅｔｗｏｒｋ  Ｗｏｒｋｉｎｇ  Ｇｒｏｕｐ−Ｉｎｔｅｒｎｅｔ  Ｄｒａｆｔ，[Ｏｎｌｉｎｅ]，２７  Ｏｃｔｏｅｂｅｒ  ２００３，第１頁〜第７２頁，ＸＰ００２２７５１９５  ＩＥＴＦ，これは、以下のＵＲＬを用いてインターネットから検索されたものである。ＵＲＬ：ｈｔｔｐ：／／ｗｗｗ．ｉｅｔｆ．ｏｒｇ／ｉｎｔｅｒｎｅｔ−ｄｒａｆｔｓ／ｄｒａｆｔ−ｈａｖｅｒｉｎｅｎ−ｐｐｐｅｘｔ−ｅａｐ−ｓｉｍ−１２．ｔｘｔ，この検索は、２００４年３月２６日に行われた。
【０００７】
これらの文献は、ＷＬＡＮとモバイルステーションとの間の従来の通信およびインタラクション（例えば、ＥＡＰの使用）を記載するが、それらは、様々なセルラー技術のセルラーネットワークブロードキャスト情報をネットワーク選択もしくはその他の目的でモバイルステーションに通信するための十分な解を教示していない。
【発明の開示】
【課題を解決するための手段】
【０００８】
ワイヤレスローカルエリアネットワーク（ＷＬＡＮ）とモバイルステーションとの間でセルラーネットワーク情報を通信する方法および装置がここに記載される。１つの実施の形態では、モバイルステーションは、Ｅｘｔｅｎｓｉｂｌｅ  Ａｕｔｈｅｎｔｉｃａｔｉｏｎ  Ｐｒｏｔｏｃｏｌ（ＥＡＰ）において、ＷＬＡＮからジェネリックコンテナメッセージを受信する。ジェネリックコンテナメッセージは、ＷＬＡＮによって以前に受信された１以上の利用可能なセルラーネットワークに関連づけられたセルラーネットワーク情報を含む。ジェネリックコンテナメッセージは、技術もしくは標準に特有なものではない。それ故、それは、様々な異なるセルラーネットワーク（例えば、３ＧＰＰ、３ＧＰＰ２、ＩＥＴＦ等）からのセルラーネットワーク情報を含み得る。モバイルステーションは、ジェネリックコンテナメッセージをデコードすることにより、セルラーネットワーク情報を識別し、メモリに格納する。好適には、セルラーネットワーク情報は、セルラーネットワークを識別する情報（例えば、モバイルネットワークコードおよびモバイル国コード）を含む。これにより、モバイルステーションは、通信のために、多くの異なるセルラーネットワークのうちの１つを適切に選択することができる。
【０００９】
本発明の方法は、ワイヤレスローカルエリアネットワーク（３０４）によって、セルラーネットワークブロードキャスト情報を１以上のモバイルステーションに通信する方法であって、１以上の利用可能なセルラーネットワーク（２００）またはネットワークデータベースから、該１以上の利用可能なセルラーネットワーク（２００）に関連づけられたセルラーネットワークブロードキャスト情報を受信するステップと、該セルラーネットワークブロードキャスト情報を、該１以上の利用可能なセルラーネットワーク（２００）に関連づけられた異なるセルラー標準に従って内容およびフォーマットにおいて変動するジェネリックコンテナメッセージ（６０２）にフォーマットするステップと、該１以上の利用可能なセルラーネットワークの中から通信するための１つを選択するモバイルステーション（２０２）によって受信し使用するために、拡張可能な認証手順において該ジェネリックコンテナメッセージ（６０２）を送信するステップとを包含する。
【００１０】
前記ジェネリックコンテナメッセージ（６０２）は、技術に特有なコンテナ（６１２）を含んでいてもよい。
【００１１】
前記ジェネリックコンテナメッセージ（６０２）は、該ジェネリックコンテナメッセージ（６０２）を識別するためのタグフィールド（６０４）を含んでいてもよい。
【００１２】
前記ジェネリックコンテナメッセージ（６０２）は、第１のセルラーネットワークに関連づけられた技術標準または標準組織を識別するためのデータフィールド（６１０）を含んでいてもよい。
【００１３】
前記セルラーネットワークブロードキャスト情報は、前記第１のセルラーネットワークを識別する第１のセルラーネットワーク情報を含んでいてもよい。
【００１４】
前記１以上の利用可能なセルラーネットワーク（２００）は、複数のセルラーネットワークを含んでいてもよい。
【００１５】
前記セルラーネットワークブロードキャスト情報は、第１のセルラーネットワークからの第１のセルラーネットワーク情報と、第２のセルラーネットワークからの第２のセルラーネットワーク情報とを含んでいてもよい。
【００１６】
前記第１のセルラーネットワーク情報は、第１の情報内容を有しており、前記第２のセルラーネットワーク情報は、該第１の情報内容とは異なる第２の情報内容を有していてもよい。
【００１７】
前記セルラーネットワークブロードキャスト情報は、第１のセルラーネットワークを識別する第１のセルラーネットワーク情報と、第２のセルラーネットワークを識別する第２のセルラーネットワーク情報とを含んでいてもよい。
【００１８】
前記セルラーネットワークブロードキャスト情報は、第１のセルラーネットワークを識別するモバイルネットワークコード（ＭＮＣ）およびモバイル国コード（ＭＣＣ）を含んでいてもよい。
【００１９】
本発明の方法は、モバイルステーション（２０２）によって、ワイヤレスローカルエリアネットワーク（３０４）からセルラーネットワークブロードキャスト情報を受信し、処理する方法であって、拡張可能な認証手順においてワイヤレスローカルエリアネットワーク（３０４）からジェネリックコンテナメッセージ（６０２）を受信するステップであって、該ジェネリックコンテナメッセージ（６０２）は、該１以上の利用可能なセルラーネットワーク（２００）に関連づけられたセルラーネットワークブロードキャスト情報を含み、１以上の利用可能なセルラーネットワーク（２００）に関連づけられた異なるセルラー標準に従って内容およびフォーマットにおいて変動する、ステップと、該ジェネリックコンテナメッセージ（６０２）をデコードすることにより、該１以上の利用可能なセルラーネットワーク（２００）に関連づけられた該セルラーネットワークブロードキャスト情報を識別するステップと、該セルラーネットワークブロードキャスト情報を該モバイルステーション（２０２）のメモリに格納するステップと、該メモリに格納された該セルラーネットワークブロードキャスト情報を用いて、該１以上の利用可能なセルラーネットワーク（２００）の中から通信するための１つを選択するステップとを包含する。
【００２０】
前記ジェネリックコンテナメッセージ（６０２）は、技術に特有なコンテナ（６１２）を含んでいてもよい。
【００２１】
前記ジェネリックコンテナメッセージ（６０２）は、該ジェネリックコンテナメッセージ（６０２）を識別するためのタグフィールド（６０４）を含んでいてもよい。
【００２２】
前記ジェネリックコンテナメッセージ（６０２）は、第１のセルラーネットワークに関連づけられた技術標準または標準組織を識別するためのデータフィールド（６１０）を含んでいてもよい。
【００２３】
前記セルラーネットワークブロードキャスト情報は、第１のセルラーネットワークからの第１のセルラーネットワーク情報と、第２のセルラーネットワークからの第２のセルラーネットワーク情報とを含んでいてもよい。
【００２４】
前記セルラーネットワークブロードキャスト情報は、第１のセルラーネットワークを識別するモバイルネットワークコード（ＭＮＣ）およびモバイル国コード（ＭＣＣ）を含んでいてもよい。
【００２５】
前記セルラーネットワークブロードキャスト情報は、第１のセルラーネットワークを識別する第１のセルラーネットワーク情報と、第２のセルラーネットワークを識別する第２のセルラーネットワーク情報とを含み、前記方法は、該ワイヤレスローカルエリアネットワーク（３０４）を介した通信のために、該第１および第２のセルラーネットワークのうちの一方を選択するステップをさらに包含してもよい。
【００２６】
前記第１のセルラーネットワークは、第１の通信標準に従って動作し、前記第２のセルラーネットワークは、該第１の通信標準とは異なる第２の通信標準に従って動作してもよい。
【００２７】
前記第１のセルラーネットワーク情報は、第１の情報内容を有しており、前記第２のセルラーネットワーク情報は、該第１の情報内容とは異なる第２の情報内容を有していてもよい。
【００２８】
前記セルラーネットワークのうちの１つは、３ｒｄ  Ｇｅｎｅｒａｔｉｏｎ  Ｐａｒｔｎｅｒｓｈｉｐ  Ｐｒｏｊｅｃｔ標準に従って動作してもよい。
【００２９】
前記セルラーネットワークブロードキャスト情報は、第１のセルラーネットワークを識別するシステム識別（ＳＩＤ）を含んでいてもよい。
【００３０】
前記セルラーネットワークブロードキャスト情報は、第１のセルラーネットワークを識別するシステム識別（ＳＩＤ）を含んでいてもよい。
【００３１】
本発明のワイヤレスローカルエリアネットワーク（３０４）は、１以上の利用可能なセルラーネットワーク（２００）またはネットワークデータベースから、該１以上の利用可能なセルラーネットワーク（２００）に関連づけられたセルラーネットワークブロードキャスト情報を受信することと、該セルラーネットワークブロードキャスト情報を、該１以上の利用可能なセルラーネットワーク（２００）に関連づけられた異なるセルラー標準に従って内容およびフォーマットにおいて変動するジェネリックコンテナメッセージ（６０２）にフォーマットすることと、該１以上の利用可能なセルラーネットワークの中から通信するための１つを選択するモバイルステーション（２０２）によって受信し使用するために、拡張可能な認証手順において該ジェネリックコンテナメッセージ（６０２）を送信することとによって、セルラーネットワークブロードキャスト情報を１以上のモバイルステーションに通信するように適合されている。
【００３２】
前記ジェネリックコンテナメッセージ（６０２）は、技術に特有なコンテナ（６１２）を含んでいてもよい。
【００３３】
前記ジェネリックコンテナメッセージ（６０２）は、該ジェネリックコンテナメッセージ（６０２）を識別するためのタグフィールド（６０４）を含んでいてもよい。
【００３４】
前記ジェネリックコンテナメッセージ（６０２）は、第１のセルラーネットワークに関連づけられた技術標準または標準組織を識別するためのデータフィールド（６１０）を含んでいてもよい。
【００３５】
前記セルラーネットワークブロードキャスト情報は、前記第１のセルラーネットワークを識別する第１のセルラーネットワーク情報を含んでいてもよい。
【００３６】
前記１以上の利用可能なセルラーネットワーク（２００）は、複数のセルラーネットワークを含んでいてもよい。
【００３７】
前記セルラーネットワークブロードキャスト情報は、第１のセルラーネットワークからの第１のセルラーネットワーク情報と、第２のセルラーネットワークからの第２のセルラーネットワーク情報とを含んでいてもよい。
【００３８】
本発明のバイルステーション（１０２）は、コントローラ（１０６）と、該コントローラ（１０６）に結合されたメモリと、該コントローラ（１０６）に結合された無線周波数（ＲＦ）トランシーバ（１０８）と、該ＲＦトランシーバ（１０８）に結合されたアンテナ（１１０）とを備えたモバイルステーション（１０２）であって、該モバイルステーション（１０２）は、拡張可能な認証手順においてワイヤレスローカルエリアネットワーク（３０４）からジェネリックコンテナメッセージ（６０２）を受信するように動作可能であり、該ジェネリックコンテナメッセージ（６０２）は、該１以上の利用可能なセルラーネットワーク（２００）に関連づけられたセルラーネットワークブロードキャスト情報を含み、１以上の利用可能なセルラーネットワーク（２００）に関連づけられた異なるセルラー標準に従って内容およびフォーマットにおいて変動し、該モバイルステーション（１０２）は、該ジェネリックコンテナメッセージ（６０２）をデコードすることにより、該１以上の利用可能なセルラーネットワーク（２００）に関連づけられた該セルラーネットワークブロードキャスト情報を識別するようにさらに動作可能であり、該モバイルステーション（１０２）は、該セルラーネットワークブロードキャスト情報を該モバイルステーション（２０２）のメモリに格納するようにさらに動作可能であり、該モバイルステーション（１０２）は、該メモリに格納された該セルラーネットワークブロードキャスト情報を用いて、該１以上の利用可能なセルラーネットワーク（２００）の中から通信するための１つを選択するようにさらに動作可能である。
【００３９】
前記ジェネリックコンテナメッセージ（６０２）は、技術に特有なコンテナ（６１２）を含んでいてもよい。
【００４０】
前記ジェネリックコンテナメッセージ（６０２）は、該ジェネリックコンテナメッセージ（６０２）を識別するためのタグフィールド（６０４）を含んでいてもよい。
【００４１】
前記ジェネリックコンテナメッセージ（６０２）は、第１のセルラーネットワークに関連づけられた技術標準または標準組織を識別するためのデータフィールド（６１０）を含んでいてもよい。
【００４２】
前記セルラーネットワークブロードキャスト情報は、第１のセルラーネットワークからの第１のセルラーネットワーク情報と、第２のセルラーネットワークからの第２のセルラーネットワーク情報とを含んでいてもよい。
【００４３】
前記セルラーネットワークブロードキャスト情報は、第１のセルラーネットワークを識別するモバイルネットワークコード（ＭＮＣ）およびモバイル国コード（ＭＣＣ）を含んでいてもよい。
【００４４】
前記モバイルステーション（１０２）は、そのセットサービス識別子、すなわち、”ＳＳＩＤ”に関連するセルラーネットワークに対して前記セルラーネットワークブロードキャスト情報を格納するようにさらに動作可能であってもよい。
【００４５】
前記セルラーネットワークブロードキャスト情報は、第１のセルラーネットワークを識別するシステム識別（ＳＩＤ）を含んでいてもよい。
【発明を実施するための最良の形態】
【００４６】
本発明の実施の形態は、ここに添付される図面を参照して例示的に記載される。
【００４７】
ワイヤレスローカルエリアネットワーク（ＷＬＡＮ）とモバイルステーションとの間でセルラーネットワーク情報を通信するための方法および装置が開示される。図示される１つの例では、モバイルステーションは、拡張可能な認証手順（ＥＡＰ；Ｅｘｔｅｎｓｉｂｌｅ  Ａａｕｔｈｅｎｔｉｃａｔｉｏｎ  Ｐｒｏｃｅｄｕｒｅ）において、ＷＬＡＮからジェネリックコンテナメッセージを受信する。ジェネリックコンテナメッセージは、ＷＬＡＮによって以前に受信された１以上の利用可能なセルラーネットワークに関連づけられたセルラーネットワーク情報を含む。ジェネリックコンテナメッセージは、技術もしくは標準に特有のものではなく、それ故、様々な異なるセルラーネットワークからのセルラーネットワーク情報を含み得る。モバイルステーションは、ジェネリックコンテナメッセージをデコードすることにより、セルラーネットワーク情報を識別し、それをメモリに格納する。好ましくは、セルラーネットワーク情報は、セルラーネットワークを識別する情報（例えば、モバイルネットワークコードおよびモバイル国コード）を含む。これにより、モバイルステーションは、通信をするためにセルラーネットワークの１つを適切に選択することができる。
【００４８】
図１は、ワイヤレス通信ネットワーク１０４を介して通信するモバイルステーション１０２を含む通信システム１００のブロック図である。モバイルステーション１０２は、好ましくは、ビジュアルディスプレイ１１２と、キーボード１１４と、おそらく、１以上の補助ユーザインタフェース（ＵＩ）１１６とを含む。各要素は、コントローラ１０６に結合されている。また、コントローラ１０６は、無線周波数（ＲＦ）トランシーバ回路１０８と１以上のアンテナ１１０にも結合されている。
【００４９】
典型的には、コントローラ１０６は、メモリコンポーネント（図示せず）においてオペレーティングシステムソフトウェアを実行する中央処理装置（ＣＰＵ）として具現化される。コントローラ１０６は、通常、モバイルステーション１０２のすべての動作を制御する。これに対し、通信機能に関連する信号処理動作は、典型的には、ＲＦトランシーバ回路１０８において実行される。コントローラ１０６は、受信された情報、格納された情報、ユーザ入力などを表示するためにディスプレイ１１２と協働する。キーボード１１４（例えば、電話タイプのキーパッドもしくはフル英数字のキーボードであり得る）は、通常、モバイルステーション１０２に格納するためのデータやネットワーク１０４に送信するための情報や電話をかけるための電話番号やモバイルステーション１０２上で実行されるべきコマンドや、その他のもしくは異なるユーザ入力を入力するために設けられている。
【００５０】
モバイルステーション１０２は、アンテナ１１０を介してワイヤレスリンクを経由してネットワーク１０４に通信信号を送信し、ネットワーク１０４からワイヤレスリンクを経由してアンテナ１１０を介して通信信号を受信する。ＲＦトランシーバ回路１０８は、無線ネットワーク（ＲＮ）１２８の機能と類似の機能を実行する。その機能は、例えば、変調／復調と、おそらく、エンコード／デコードおよびエンクリプション／デクリプションを含む。ＲＦトランシーバ回路１０８が、ＲＮ１２８の機能に加えて、ある機能を実行することも考えられる。代替の実施の形態では、ＲＦトランシーバ回路１０８は、コンポーネントの複数のサブセットを含んでいてもよい。各サブセットは、特定のタイプのネットワークをアクセスするように構成されている。例えば、ＲＦトランシーバ回路１０８のコンポーメントの１つのサブセットは、８０２．１１ｂのようなＷＬＡＮネットワークにアクセスするように構成されていてもよく、その一方で、ＲＦトランシーバ回路１０８のコンポーメントの第２のサブセットは、Ｃｏｄｅ  Ｄｉｖｉｓｉｏｎ  Ｍｕｌｔｉｐｌｅ  Ａｃｃｅｓｓ（ＣＤＭＡ）、ＣＤＭＡ２０００等のようなワイヤレスネットワークにアクセスするように構成されていてもよい。ＲＦトランシーバ回路１０８が  特定のワイヤレスネットワークもしくはモバイルステーション１０２が動作することを意図されているネットワークに適合されることは当業者には明らかである。
【００５１】
モバイルステーション１０２は、１以上の再充電可能なバッテリー１２４を受け取るバッテリーインタフェース１２２を含む。バッテリー１２４は、電気パワーをモバイルステーション１０２内の電気回路に提供する。バッテリーインタフェース１２２は、バッテリー１２４のための機械的にもしくは電気的な接続を提供する。バッテリーインタフェース１２２は、その装置へのパワーをレギュレートするレギュレータ１２６に結合されている。また、モバイルステーション１０２は、Ｓｕｂｓｃｒｉｂｅｒ  Ｉｄｅｎｔｉｔｙ  Ｍｏｄｕｌｅ（ＳＩＭ）、Ｕｎｉｖｅｒｓａｌ  ＳＩＭ（ＵＳＩＭ）もしくはＲｅｍｏｖａｂｌｅ  Ｕｓｅｒ  Ｉｄｅｎｔｉｔｙ  Ｍｏｄｕｌｅ（Ｒ−ＵＩＭ）のようなメモリモジュール１２０を用いて動作する。これらのメモリモジュールは、インタフェース１１８において、モバイルステーション１０２に接続され、もしくは、モバイルステーション１０２に挿入される。
【００５２】
モバイルステーション１０２は、データ通信デバイス、セルラー電話、データおよび音声通信能力を有するマルチ機能通信デバイス、ワイヤレス通信を可能にするパーソナルデジタルアシスタント（ＰＤＡ）、もしくは、内部モデムを組み込んだコンピュータのような単一のユニットから構成されていてもよい。あるいは、モバイルステーション１０２は、複数の別個のコンポーネントを含むマルチモジュールユニットであってもよい。マルチモジュールユニットは、ワイヤレスモデムに接続されたコンピュータもしくは他のデバイスを含むが、これらに限定されない。例えば、特に、図１のモバイルステーションのブロック図において、ＲＦトランシーバ回路１０８とアンテナ１１０とは、ラップトップコンピュータ上のポートに挿入され得る無線モデムユニットとしてインプリメントされ得る。この場合、ラップトップコンピュータは、ディスプレイ１１２と、キーボード１１４と、１以上の補助ＵＩ１１６と、そのコンピュータのＣＰＵとして具現化されるコントローラ１０６とを含むであろう。通常はワイヤレス通信の能力をもたないコンピュータもしくはその他の機器が、上述した単一ユニット装置の１つのように、単一ユニット装置のＲＦトランシーバ回路１０８およびアンテナ１１０の制御に接続し、効率的に仮定するように適合され得るということも考えられる。そのようなモバイルステーション１０２は、より特有のインプリメンテーションを有し得る。それについては、図２のモバイルステーション２０２に関連して後述される。
【００５３】
モバイルステーション１０２は、ワイヤレス通信ネットワーク１０４において、そしてそれを介して通信を行う。ワイヤレス通信ネットワーク１０４は、Ｇｌｏｂａｌ  Ｓｙｓｔｅｍｓ  ｆｏｒ  Ｍｏｂｉｌｅ  ｃｏｍｍｕｎｉｃａｔｉｏｎｓ（ＧＳＭ）、Ｇｅｎｅｒａｌ  Ｐａｃｋｅｔ  Ｒａｄｉｏ  Ｓｅｒｖｉｃｅ（ＧＰＲＳ）、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）、Ｃｏｄｅ  Ｄｉｖｉｓｉｏｎ  Ｍｕｌｔｉｐｌｅ  Ａｃｃｅｓｓ（ＣＤＭＡ）、ＩＳ−９５、ＩＳ−２０００、ＣＤＭＡ２０００、８０２．１１ｂ、８０２．１１ｇ等、もしくは、これらの組み合わせのような任意の好適な通信技術に従って動作し得る。図１の実施の形態では、ワイヤレス通信ネットワーク１０４は、Ｃｏｄｅ  Ｄｉｖｉｓｉｏｎ  Ｍｕｌｔｉｐｌｅ  Ａｃｃｅｓｓ（ＣＤＭＡ）技術に基づくＴｈｉｒｄ  Ｇｅｎｅｒａｔｉｏｎ（３Ｇ）にサポートされたネットワークである。特に、ワイヤレス通信ネットワーク１０４は、図１に示されるように結合された固定のネットワークコンポーネントを含むＣＤＭＡ２０００ネットワークである。ＣＤＭＡ２０００タイプのワイヤレス通信ネットワーク１０４は、無線ネットワーク（ＲＮ；Ｒａｄｉｏ  Ｎｅｔｗｏｒｋ）１２８と、モバイルスイッチングセンター（ＭＳＣ；Ｍｏｂｉｌｅ  Ｓｗｉｔｃｈｉｎｇ  Ｃｅｎｔｅｒ）１３０と、シグナリングシステム７（ＳＳ７；Ｓｉｇｎａｌｉｎｇ  Ｓｙｓｔｅｍ  ７）ネットワーク１４０と、ホームロケーションレジスタ／オーセンティケーションセンター（ＨＬＲ／ＡＣ；Ｈｏｍｅ  Ｌｏｃａｔｉｏｎ  Ｒｅｇｉｓｔｅｒ／Ａｕｔｈｅｎｔｉｃａｔｉｏｎ  Ｃｅｎｔｅｒ）１３８と、パケットデータサービングノード（ＰＤＳＮ；Ｐａｃｋｅｔ  Ｄａｔａ  Ｓｅｒｖｉｎｇ  Ｎｏｄｅ）１３２と、ＩＰネットワーク１３４と、リモートオーセンティケーションダイアルインユーザサービス（ＲＡＤＩＵＳ；Ｒｅｍｏｔｅ  Ａｕｔｅｎｔｉｃａｔｉｏｎ  Ｄｉａｌ−Ｉｎ  Ｕｓｅｒ  Ｓｅｒｖｉｃｅ）サーバ１３６とを含む。ＳＳ７ネットワーク１４０は、通信的に、パブリックスイッチトテレフォンネットワーク（ＰＳＴＮ；Ｐｕｂｌｉｃ  Ｓｗｉｔｃｈｅｄ  Ｔｅｌｅｐｈｏｎｅ  Ｎｅｔｗｏｒｋ）のようなネットワーク１４２に結合されているのに対し、ＩＰネットワークは、通信的に、インターネットのようなネットワーク１４４に結合されている。
【００５４】
本ネットワークの実施の形態（ＣＤＭＡ２０００）では、モバイルステーション１０２は、呼び出しセットアップ、呼び出し処理、モビリティ管理のような機能を実行するＲＮ１２８と通信を行う。ＲＮ１２８は、一般に「セル」と呼ばれている特定のカバレージエリアのためにワイヤレスネットワークカバレージを提供する複数のベースステーション・トランシーバシステムを含む。図１に示されるもののようにＲＮ１２８の与えられたベースステーション・トランシーバシステムは、通信信号をそのセル内のモバイルステーションに送信し、そのセル内のモバイルステーションから通信信号を受信する。ベースステーション・トランシーバシステム１２８は、そのコントローラの制御の下で、通常、特定の（通常、所定の）通信プロトコルおよびパラメータに従ってモバイルステーションに送信されるべき信号の変調、そしておそらくエンコードおよび／またはエンクリプトのような機能を実行する。ベースステーション・トランシーバシステムは、同様に、セル内でモバイルステーション１０２から受信された任意の通信信号を復調し、そしておそらく必要であればデコードおよびデクリプトする。通信プロトコルやパラメータは、異なるネットワークの間で変動し得る。例えば、あるネットワークは、異なる変調スキーム用い、他のネットワークとは異なる周波数で動作する。また、提供されるサービスも、その特定のプロトコルのリビジョンに基づいて異なるかもしれない。
【００５５】
図１の通信システム１００に示されるワイヤレスリンクは、１以上の異なるチャネル（典型的には、異なる無線周波数（ＲＦ）チャネル）と、ワイヤレスネットワーク１０４とモバイルステーション１０２との間で使用される関連プロトコルとを表す。ＲＦチャネルは、節約されなければならない制限されたリソースである。これは、典型的には、全体の帯域幅が制限されていることや、モバイルステーション１０２のバッテリーパワーが制限されているためである。当業者であれば、実用におけるワイヤレスネットワークは、ネットワークカバレージの所望の全体の広がりに依存して何百というセルを含み得ることを理解するだろう。すべての関連コンポーネントが、マルチスイッチおよびルーター（図示せず）によって接続され得る。これらは、マルチネットワークコントローラによって制御される。
【００５６】
ネットワークオペレータを用いて登録されたすべてのモバイルステーション１０２に対して、テンポラリデータ（例えば、モバイルステーション１０２の現在の位置）とともに関連データ（例えば、モバイルステーション１０２のユーザプロファイル）がＨＬＲ／ＡＣ１３８に格納される。モバイルステーション１０２へのボイスコールの場合には、ＨＬＲ／ＡＣ１３８は、モバイルステーション１０２の現在の位置を決定するために質問される。ＭＳＣ１３０のビジターロケーションレジスタ（ＶＬＲ；Ｖｉｓｉｔｏｒ  Ｌｏｃａｔｉｏｎ  Ｒｅｇｉｓｔｅｒ）は、位置エリアのグループに対して責任を負っており、その責任エリアの中に現在位置するモバイルステーションのデータを格納する。これは、より高速なアクセスのために、ＨＬＲ／ＡＣ１３８からＶＬＲに送信された関連モバイルステーションデータの一部を含む。しかし、ＭＳＣ１３０のＶＬＲは、テンポラリ識別子のようなローカルデータを割り当て、かつ、格納してもよい。また、モバイルステーション１０２は、ＨＬＲ／ＡＣ１３８によってシステムアクセスに関して認証される。ＣＤＭＡ−２００ベースのネットワークにおいてパケットデータサービスをモバイルステーション１０２に提供するために、ＲＮ１２８は、ＰＤＳＮ１３２と通信する。ＰＤＳＮ１３２は、ＩＰネットワーク１３４を介してインターネット１４４（あるいは、イントラネット、ワイヤレスアプリケーションプロトコル（ＷＡＰ；Ｗｉｒｅｌｅｓｓ  Ａｐｐｌｉｃａｔｉｏｎ  Ｐｒｏｔｏｃｏｌ）サーバ等）に対するアクセスを提供する。また、ＰＤＳＮ１３２は、仮想プライベートネットワーキングのためのパケットトランスポートとともに、モバイルＩＰネットワークにおける外国エージェント（ＦＡ；Ｆｏｒｅｉｇｎ  Ａｇｅｎｔ）機能を提供する。ＰＤＳＮ１３２は、ＩＰアドレスの範囲を有しており、ＩＰアドレス管理、セッション・メインテナンス、オプショナル・キャッシングを実行する。ＲＡＤＩＵＳサーバ１３６は、パケットデータサービスのＡＡＡ（すなわち、オーセンティケーション（Ａｕｔｈｅｎｔｉｃａｔｉｏｎ）、オーソライゼーション（Ａｕｔｈｒｉｚａｔｉｏｎ）およびアカウンティング（Ａｃｃｏｕｎｔｉｎｇ））に関連する機能の実行に対して責任を負っており、ＡＡＡサーバと呼ばれることがある。
【００５７】
当業者であれば、ワイヤレスネットワーク１０４が他のシステム（おそらく、図１に明示的に示されていない他のシステムを含む）に接続され得ることを理解するだろう。ネットワークは、通常、仮に交換される実際のデータがなかったとしても、継続中のベースで非常に小さいページングおよびシステムで情報で送信しつづける。ネットワークは、多くの部品から構成られるが、これらの部品のすべてが、ワイヤレスリンクにある振る舞いを生じさせるために一緒に働く。
【００５８】
図２は、好適なモバイルステーション２０２の詳細なブロック図である。モバイルステーション２０２は、好ましくは、少なくともボイスおよびアドバンスト・データ通信能力（他のコンピュータシステムと通信をする能力を含む）を有する２ウェイ通信デバイスである。モバイルステーション２０２によって提供される機能に応じて、それは、データメッセージングデバイス、２ウェイページャ、データメッセージング能力を有するセルラー電話、ワイヤレスインターネット機器、もしくは、データ通信デバイス（電話の能力付き、もしくは、電話の能力なし）と呼ばれることがある。モバイルステーション２０２は、その地理的なカバレージエリアの範囲内で、複数のベースステーショントランシーバシステム２００のうちの任意のものと通信をすることができる。
【００５９】
モバイルステーション２０２は、通常、通信サブシステム２１１を組み込んでいる。通信サブシステム２１１は、レシーバ２１２と、トランスミッタ２１４と、（好ましくは、埋め込み型もしくは内部の）１以上のアンテナ要素２１６および２１８、局所発振器（ＬＯｓ）２１３およびデジタル信号プロセッサ（ＤＳＰ）２２０のような処理モジュールのような関連コンポーネントとを含む。通信サブシステム２１１は、図１に示されるＲＦトランシーバ回路１０８およびアンテナ１１０に類似している。代替の実施の形態では、通信サブシステム２１１は、複数のレシーバ２１２と、複数のトランスミッタ２１４と、１以上のアンテナ要素２１６および２１８、局所発振器２１３のような複数の関連コンポーネントの複数のサブセットを含んでいてもよい。各サブセットは、特定のタイプのワイヤレスネットワークにアクセスするように構成されている。例えば、１つのセットは、ＷＬＡＮにアクセスするように構成されることができ、一方で、他のセットは、ＣＤＭＡ、ＣＤＭＡ２０００等のようなワイヤレスネトワークにアクセスするように構成されることができる。通信分野の当業者には明らかなように、通信サブシステム２１１の特定の設計は、その中でモバイルステーション２０２が動作することを意図される通信ネットワークもしくはネットワークに依存する。
【００６０】
モバイルステーション２０２は、必要とされるネットワーク登録または活性化手順が完了した後に、ネットワークを介して通信信号を送受信することができる。ネットワークを介してアンテナ２１６によって受信される信号は、レシーバ２１２に入力される。レシーバ２１２は、信号増幅、周波数ダウン変換、フィルタリング、チャネル選択等、そして図２に示される例ではアナログ−デジタル変換（Ａ／Ｄ変換）のような共通のレシーバ機能を実行することができる。受信された信号のＡ／Ｄ変換は、ＤＳＰ２２０において実行されるべき復調およびデコードのようなより複雑な通信機能を行うことを可能にする。同様に、送信されるべき信号は、処理される。このような処理には、例えば、ＤＳＰ２２０による変調やエンコードが含まれる。これらのＤＳＰに処理された信号は、デジタル−アナログ変換（Ｄ／Ａ変換）、周波数アップ変換、フィルタリング、増幅、アンテナ２１８を介して通信ネットワーク上の送信のためにトランスミッタ２１４に入力される。ＤＳＰ２２２は、通信信号を処理するばかりでなく、レシーバおよびトランスミッタの制御をも提供する。例えば、レシーバ２１２およびトランスミッタ２１４において通信信号に適用されるゲインは、ＤＳＰ２２０においてインプリメントされる自動ゲイン制御アルゴリズムを介して適応的に制御され得る。
【００６１】
ネットワークアクセスは、加入者、すなわち、モバイルステーション２０２のユーザに関連づけられている。それ故、モバイルステーション２０２は、ネットワークにおいて動作するためにモバイルステーション２０２のインタフェース２６４に挿入されるか、もしくは、インタフェース２６４に接続されるメモリモジュール２６２（例えば、Ｓｕｂｓｃｒｉｂｅｒ  Ｉｄｅｎｔｉｔｙ  Ｍｏｄｕｌｅ（ＳＩＭ）、Ｕｎｉｖｅｒｓａｌ  ＳＩＭ（Ｕ−ＳＩＭ）、Ｒｅｍｏｖａｂｌｅ  Ｕｓｅｒ  Ｉｄｅｎｔｉｔｙ  Ｍｏｄｕｌｅ（Ｒ−ＵＩＭ））を必要とする。モバイルステーション２０２は、モバイルバッテリーによってパワーが供給されるデバイスであるから、それは、１以上の再充電可能なバッテリー２５６を受け取るためのバッテリーインタフェース２５６を含む。バッテリー２５６は、電気パワーをモバイルステーション２０２の大半の電気回路（すべての電気回路でなくてもよい）に提供する。バッテリーインタフェース２５４は、機械的かつ電気的な接続を提供する。バッテリーインタフェース２５４は、回路のすべてにパワーＶ＋を提供するレギュレータ（図２には示されていない）に結合されている。
【００６２】
モバイルステーション２０２は、モバイルステーション２０２の全体の動作を制御するマイクロプロセッサ２３８（これは、図１のコントローラ１０８の１つのインプリメンテーションである）を含む。この制御は、本願のネットワーク選択技術を含む。少なくともデータおよびボイス通信を含む通信機能は、通信サブシステム２１１を介して実行される。また、マイクロプロセッサ２３８は、ディスプレイ２２２、フラッシュメモリ２２４、ランダムアクセスメモリ（ＲＡＭ）２２６、補助入力／出力（Ｉ／Ｏ）サブシステム２２８、シリアルポート２３０、キーボード２３２、スピーカ２３４、マイクロホン２３６、短距離用通信サブシステム２４０、２４２で一般に指定されるその他の任意のサブシステムのような追加のサブシステムと相互作用する。図２に示されるサブシステムのいくつかは、通信関連機能を実行する一方で、他のサブシステムは、「固有の」（”ｒｅｇｉｄｅｎｔ”）、もしくは、オンデバイス機能を提供する。キーボード２３２やディスプレイ２２２のようないくつかのサブシステムは、例えば、通信ネットワークを介して送信するためのテキストメッセージの入力のような通信関連機能と、計算機もしくはタスクリストののようなデバイス固有の機能との両方に使用され得る。マイクロプロセッサ２３８によって使用されるオペレーティングシステムソフトウェアは、好適には、フラッシュメモリ２２４のような永続的なメモリに格納される。フラッシュメモリ２２４の代わりに、リードオンリーメモリ（ＲＯＭ）もしくは類似の格納要素（図示せず）を使用してもよい。当業者であれば、オペレーティングシステム、特定のデバイスアプリケーション、もしくはその一部がＲＡＭ２２６のような揮発性のメモリに一時的にロードされ得ることを理解するだろう。
【００６３】
マイクロプロセッサ２３８は、オペレーティングシステムの機能に加えて、好適には、モバイルステーション２０２上のソフトウェアアプリケーションの実行を可能にする。少なくともデータおよびボイス通信アプリケーションを含む基本デバイス動作を制御するアプリケーションの所定のセットは、通常、その製造過程において、モバイルステーション２０２にインストールされる。モバイルステーション２０２にロードされ得る好適なアプリケーションは、Ｅメール、カレンダーイベント、ボイスメール、アポイントメント、タスク項目のような（これらには限定されないが）ユーザに関連するデータ項目を組織化し管理する能力を有するパーソナル情報マネージャ（ＰＩＭ）アプリケーションであり得る。自然に、１以上のメモリが、ＰＩＭデータ項目および他の情報の格納を容易にするために、モバイルステーション２０２およびＳＩＭ２５６上で利用可能である。
【００６４】
ＰＩＭアプリケーションは、好適には、ワイヤレスネットワークを介してデータ項目を送受信する能力を有している。好適な実施の形態では、ＰＩＭデータ項目は、ワイヤレスネットワークを介して、シームレスに統合され、同期化され、アップデートされる。モバイルステーションのユーザの対応するデータ項目が格納され、および／または、ホストコンピュータシステムに関連づけられる。これにより、そのような項目に関して、モバイルステーション２０２の上にミラーされたホストコンピュータが作成される。これは、ホストコンピュータシステムがモバイルステーションのユーザのオフィスコンピュータシステムである場合には特に利点がある。追加のアプリケーションが、ネットワーク、補助Ｉ／Ｏサブシステム２２８、シリアルポート２３０、短距離通信サブシステム２４０、もしくは、その他の任意のサブシステム２４２を介してモバイルステーション２０２上にロードされ、ユーザによってＲＡＭ２２６（もしくは、好ましくは、マイクロプロセッサ２３８による実行のための不揮発性メモリ（図示せず））の中にインストールされ得る。このようなアプリケーションをインストールする際のフレキシビリティは、モバイルステーション２０２の機能性を増大させ、拡張されたオンデバイス機能、通信関連機能、もしくはその両方を提供することを可能にする。例えば、セキュア通信アプリケーションは、モバイルステーション２０２を用いて実行されるべき電子コマース機能やその他のファイナンシャルトランザクションを可能にする。
【００６５】
データ通信モードでは、テキストメッセージ、Ｅメールのメッセージ、ダウンロードされたウェブのページのような受信された信号は、通信サブシステム２１１によって処理され、マイクロプロセッサ２３８に入力される。マイクロプロセッサ２３８は、好適には、ディスプレイ２２２、もしくは、補助Ｉ／Ｏデバイス２２８に出力するために、その信号をさらに処理する。モバイルステーション２０２のユーザは、例えば、ディスプレイ２２２もしくは補助Ｉ／Ｏデバイス２２８とともにキーボード２３２を用いて、Ｅメールメッセージのようなデータ項目を構成するかもしれない。キーボード２３２は、好適には、完全な英数字キーボードおよび／または電話タイプのキーパッドである。これらの構成された項目は、通信サブシステム２１１を介して通信ネットワーク上を送信され得る。
【００６６】
ボイス通信に関して、モバイルステーション２０２の全体的な動作は、受信された信号がスピーカ２３４に出力され、送信用の信号がマイクロホン２３６によって生成される点を除いて、実質的に同様である。ボイスメッセージ記録サブシステムのようなボイスもしくはオーディオＩ／Ｏサブシステムは、モバイルステーション２０２上でインプリメントされ得る。ボイスもしくはオーディオ信号出力は、好適には、主としてスピーカ２３４を介して達成されるが、ディスプレイ２２２もまた、発呼者（ｃａｌｌｉｎｇ  ｐａｒｔｙ）の識別、ボイスコールの長さ、もしくは、その他のボイスコール関連情報の表示を提供するために使用され得る。
【００６７】
図２におけるシリアルポート２３０は、通常、パーソナルデジタルアシスタント（ＰＤＡ）タイプの通信デバイスにおいてインプリメントされる。そのような通信デバイスでは、ユーザのデスクトップコンピュータとの同期が望ましいコンポーネントである（オプショナルではあるが）。シリアルポート２３０は、ユーザが外部デバイスもしくはソフトウェアアプリケーションを介してプレファレンスを設定することを可能にし、ワイヤレス通信ネットワークを介する以外にモバイルステーション２０２にダウンロードする情報もしくはソフトウェアを提供することによってモバイルステーション２０２の能力を拡張する。代替のダウンロードの経路は、例えば、直接的であり、信頼性の高く、信用できる接続を介して暗号化キーをモバイルステーション２０２にロードするために使用され得る。これにより、セキュアなデバイス通信を提供することができる。
【００６８】
図２の短距離通信サブシステム２４０は、モバイルステーション２０２と他の異なるシステムもしくはデバイルとの間の通信を提供する追加のオプショナルなコンポーネントである。必ずしも類似のデバイスが必要とされるわけではない。例えば、サブシステム２４０は、同様に実施可能なシステムおよびデバイスとの通信を提供するために、赤外線デバイスとその関連回路およびコンポーネント、もしくは、Ｂｌｕｅｔｏｏｔｈ（登録商標）通信モジュールを含み得る。Ｂｌｕｅｔｏｏｔｈ（登録商標）は、Ｂｌｕｅｔｏｏｔｈ  ＳＩＧ，Ｉｎｃの登録商標である。
【００６９】
図３は、１以上のワイヤレスローカルネットワーク（ＷＬＡＮｓ）３０２と通信するモバイルステーション２０２を示すシステム図３００である。１以上のＷＬＡＮ３０２は、１以上のセルラーネットワーク２００と通信する。図３に示されるＷＬＡＮ３０２は、第１のＷＬＡＮ３０４、第２のＷＬＡＮ３０６および第３のＷＬＡＮ３０８を含む。ただし、他の多くのＷＬＡＮが、同一もしくは異なる地理的領域においてモバイルステーション２０２によって利用可能である。モバイルステーション２０２およびＷＬＡＮは、モバイルステーション２０２とＷＬＡＮ３０４との間の無線通信リンク３１６のような無線通信リンクを介して通信する。ＷＬＡＮ３０２は、典型的には、モバイルステーション２０２に対してより高い帯域幅データ通信を提供するために伝統的なＴｅｌｃｏ接続を用いてインターネットにワイヤ接続されている。図示されるように、ＷＬＡＮ３０４、３０６および３０８は、ワイヤ接続３１０、３１２および３１４をそれぞれ介して、もしくは、その他の適切な手段により、セルラーネットワーク２００から情報を受信し得る。ＷＬＡＮ３０２は、例えば、ＩＥＥＥ標準もしくはＥＴＳＩ標準に従って動作し得る。ただし、その他の任意の好適な通信技術も使用され得る。ＷＬＡＮ３０２は、任意の好適なエリアもしくは環境に配置され得、典型的には、コーヒーショップ、レストラン、ホテル、空港、会社のオフィスにおいて見い出だされる。ＷＬＡＮ３０２がカバレージを提供する範囲内のエリアは、「ホットスポット（”ｈｏｔ  ｓｐｏｔｓ”）」と呼ばれる。
【００７０】
図４は、ＷＬＡＮとモバイルステーションとの間で、セルラーテレコミニュケーションネットワーク情報を通信するためのＷＬＡＮ方法を記載したフローチャートである。この方法は、図３に関連して記載された環境において実行され得る。開始ブロック４０２から始める。ＷＬＡＮは、１以上のセルラーネットワークに関連づけられたセルラーネットワーク情報を受信する（ステップ４０４）。セルラーネットワーク情報は、ＷＬＡＮによって、他のセルラーネットワークから直接的に、もしくは、ＷＬＡＮのデータベースもしくはセルラーネットワークを介して間接的に受信され得る。もしデータベースアプローチが使用されるならば、そのデータベースは、セルラーブロードキャストから動的に占有されてもよいし、ユーザインタフェースを介して手動で占有されてもよい。セルラーネットワーク情報は、まさに、セルラーネットワークに関連づけられたネットワーク情報であり、様々なネットワーク属性を含む。好適には、セルラーネットワーク情報は、ネットワーク識別情報および／またはセルラーネットワークを一意に識別する情報（例えば、システム識別子（ＳＩＤ）、および／または、モバイル国コード（ＭＣＣ）とモバイルネットワークコード（ＭＮＣ）との対）を含む属性を含む。セルラーネットワーク情報は、利用可能な近接セルラーチャネルのようなその他のもしくは追加の情報を含んでいてもよい。
【００７１】
セルラーネットワーク情報は、異なるセルラー技術および／または標準に関連づけられたネットワークから受信され得るので、受信されたセルラーネットワーク情報は、内容およびフォーマットにおいて変動し得る。例えば、セルラーフォーマットは、３ｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ２、もしくは、Ｉｎｔｅｒｎｅｔ  Ｅｎｇｉｎｅｅｒｉｎｇ  Ｔａｓｋ  Ｆｏｒｃｅ（ＩＥＴＦ）に基づいていてもよい。３ＧＰＰは、ＧＳＭ／ＧＰＲＳおよびＵＭＴＳ標準を定義するものとして知られているのに対し、３ＧＧＰ２は、ＩＳ−９５、ＣＤＭＡ２０００、１ＸＲＴＴを定義するものとして知られている。このように、ＷＬＡＮは、２以上の異なるセルラー通信プロトコルに従ってセルラーネットワーク情報を受信するように構成されている。ＷＬＡＮは、このセルラーネットワーク情報をメモリに格納する。その格納は、好適には、技術、ネットワークおよび内容に応じて組織化された態様で行われる（図１を参照）。
【００７２】
【表１−１】
2005137013.tif 000003
【００７３】
【表１−２】
2005137013.tif 000004
表１：ＷＬＡＮにおけるセルラーネットワーク情報の組織化された格納の例。セルラーネットワーク情報がジェネリックコンテナメッセージの中でＷＬＡＮによって一般に送信される場合の順番の例。モバイルステーションにおけるセルラーネットワーク情報の組織化された格納の例。
【００７４】
その後、ＷＬＡＮは、セルラーネットワーク情報をジェネリックコンテナメッセージにフＨａｖｅｒｉｎｅｎォーマットする（ステップ４０６）。その名前が示唆するように、ジェネリックコンテナメッセージは、技術や標準に特有のものではなく、様々な異なるセルラーネットワーク（例えば、３ＧＰＰ、３ＧＰＰ２、もしくは、他の好適な標準）のうちの任意の１以上からのセルラーネットワーク情報を含み得る。ジェネリックコンテナメッセージにおいて技術に特有な情報は、技術／組織識別のような適切な識別によって識別され得る。ジェネリックコンテナメッセージのためのフォーマットの特定の例は、図６に関連して後述される。次に、ＷＬＡＮは、それを獲得しようとしているモバイルステーションを用いて、拡張可能な認証手順（ＥＡＰ；Ｅｘｔｅｎｓｉｂｌｅ  ａｕｔｈｅｎｔｉｃａｔｉｏｎ  ｐｒｏｃｅｄｕｒｅ）を実行する。モバイルステーションを用いたＥＡＰの間、ＷＬＡＮは、ジェネリックコンテナメッセージをモバイルステーションに送信する（ステップ４０８）。ＷＬＡＮは、好ましくは、技術、ネットワークおよび内容／情報に応じた組織化された態様で、ジェネリックコンテナメッセージをフォーマットし、送信する（表１を参照）。
【００７５】
図５は、ＷＬＡＮとモバイルステーションとの間で、セルラーテレコミニュケーションネットワーク情報を通信するためのモバイルステーション方法を記載したフローチャートである。モバイルステーションは、そのカバレージエリア内で利用可能なＷＬＡＮを識別するためにスキャンし、それらの中の１つを獲得することを試みる。開始ブロック５０２から開始する。モバイルステーションは、拡張可能な認証手順（ＥＡＰ）の間に、選択されたＷＬＡＮからジェネリックコンテナメッセージを受信する（ステップ５０４）。モバイルステーションは、ジェネリックコンテナメッセージから１以上のセルラーネットワークに関連づけられたセルラーネットワーク情報をデコードする（ステップ５０６）。セルラーネットワーク情報は、まさに、セルラーネットワークに関連づけられたネットワーク情報であり、様々なネットワーク属性を含み得る。好適には、このセルラーネットワーク情報は、ブロードキャスト情報であり、セルラーネットワークを一意に識別する情報（例えば、システム識別子（ＳＩＤ）、および／または、モバイル国コード（ＭＣＣ）とモバイルネットワークコード（ＭＮＣ）との対）を含む。セルラーネットワーク情報は、利用可能な近接セルラーチャネルのようなその他の情報を含んでいてもよい。
【００７６】
セルラーネットワーク情報は、異なるセルラー技術および／または標準に関連づけられたネットワークからのものであり得るので、受信されたセルラーネットワーク情報は、内容およびフォーマットにおいて変動し得る。例えば、セルラー情報の内容およびフォーマットは、３ｒｄ  Ｇｅｎｅｒａｔｉｏｎ  Ｐａｒｔｎｅｒｓｈｉｐ  Ｐｒｏｊｅｃｔ（３ＧＰＰ）、３ＧＰＰ２、もしくは、他の好適な標準に基づいていてもよい。３ＧＰＰは、ＧＳＭ／ＧＰＲＳおよびＵＭＴＳ標準を定義するものとして知られているのに対し、３ＧＧＰ２は、ＩＳ−９５、ＣＤＭＡ２０００、１ＸＲＴＴを定義するものとして知られている。このように、モバイルステーションは、２以上の異なるセルラーフォーマット／プロトコルに従って情報を受信し、デコードするように構成されている。
【００７７】
ジェネリックコンテナメッセージにおける技術に特有な情報は、技術／組織識別のような適切な識別によって識別されるので、モバイルステーションは、この識別を使用して、デコードを適切に行う。
【００７８】
次に、モバイルステーションは、このセルラーネットワーク情報をメモリに格納する（ステップ５０８）。好適には、モバイルステーションは、セルラーネットワーク情報をＷＬＡＮの識別子（セットサービス識別子、もしくは、ＳＳＩＤ）と関連づけて格納する。その格納は、好ましくは、技術、ネットワークおよび内容／情報に応じた組織化された態様で、行われる（表１を参照）。モバイルステーションは、それが出会うすべての異なるＷＬＡＮに対してこの情報の格納を保持する。この情報が格納されるメモリは、永久的にンストールされているメモリデバイス（例えば、図２のフラッシュメモリ２２４）であってもよいし、取り外し可能なメモリデバイス（例えば、図２のメモリ２６２）であってもよい。図２のメモリ２６２は、Ｓｕｂｓｃｒｉｂｅｒ  Ｉｄｅｎｔｉｔｙ  Ｍｏｄｕｌｅ（ＳＩＭ）、Ｕｎｉｖｅｒｓａｌ  ＳＩＭ（ＵＳＩＭ）もしくはＲｅｍｏｖａｂｌｅ  Ｕｓｅｒ  Ｉｄｅｎｔｉｔｙ  Ｍｏｄｕｌｅ（Ｒ−ＵＩＭ）であり得る。モバイルステーションは、この情報のすべての格納を無限に保持することができる。あるいは、モバイルステーションは、この情報のいくつかを時間の経過につれて（例えば、利用可能なメモリスペースやその情報の使用頻度に応じて）削除するようにしてもよい。
【００７９】
セルラーネットワーク情報がモバイルステーションに格納された後に、モバイルステーションは、セルラーネットワーク情報からのＭＣＣ／ＭＮＣ対を用いて、ネットワーク選択を実行する（ステップ５１０）。特に、モバイルステーションは、ＷＬＡＮをシグナリングすることによって、これらのネットワークのうちの１つ（例えば、好ましいネットワークリストに従って、もしくは、ユーザインタフェースを介したマニュアル選択を介して、ホーム”ｈｏｍｅ”もしくは他のネットワーク）を選択する。特に、モバイルステーションは、ＥＡＰにおけるネットワークアクセス識別子（ＮＡＩ；Ｎｅｔｗｏｒｋ  Ａｃｃｅｓｓ  Ｉｄｅｎｔｉｆｉｅｒ）を用いて、その選択されたネットワークでＷＬＡＮをシグナルする。このように、ＭＣＣ／ＭＮＣ対を有するジェネリックコンテナメッセージを受信することを伴うＥＡＰは、セルラーネットワーク選択のためのモバイルステーションの従来のスキャン動作の代わりをする。このように、モバイルステーションは、ＷＬＡＮを介して、受信されたＭＣＣ／ＭＮＣ対およびそのホームのネットワークもしくは好適なネットワークリスト（例えば、ＳＩＭもしくはＵ−ＳＩＭ）に基づいて、ＥＡＰにおいてネットワークの自動選択もしくは手動選択を提供する。
【００８０】
図６は、ＷＬＡＮによって送信され、モバイルステーションにおいて受信されるジェネリックコンテナメッセージ６０２のためのメッセージフォーマットの一例である。この特定の例では、ジェネリックコンテナメッセージ６０２は、タグフィールド６０４と、バージョンフィールド６０６と、長さフィールド６０８と、技術／標準組織フィールド６１０と、技術特有コンテナフィールド６１２とを含む。タグフィールド６０４は、そのメッセージをジェネリックコンテナメッセージとして識別するデータ（例えば、番号、バイナリ値、ストリング等）を含む。バージョンフィールド６０６は、ジェネリックコンテナメッセージ６０２の（標準）バージョンを識別するデータを含む。組織フィールド６０８は、技術特有のコンテナ６１２の内容およびフォーマットを識別するデータを含む。長さフィールド６１０は、データ特有コンテナ６１２のデータ長を識別するデータを含む。データ特有コンテナフィールド６１２は、組織フィールド６０８において識別された特定のセルラー技術に特有のセルラーブロードキャスト情報を含む。図６に示されるように、１以上の技術特有コンテナが、（ＷＬＡＮのカバレージエリアにおいて利用可能なセルラーネットワークの数に応じて）対応する長さと組織識別子とを用いてシーケンシャルにジェネリックコンテナメッセージ６０２の中に提供される。各組織フィールドは、それに従う特有のセルラー技術情報を識別する。
【００８１】
明らかなように、ジェネリックコンテナメッセージ６０２は、技術に特有なコンテナ６１２における情報の内容およびフォーマットが組織フィールド６０８において識別される任意のセルラー標準組織によって定義され得るという点において「ジェネリック」（”ｇｅｎｅｒｉｃ”）である。ジェネリックコンテナメッセージ６０２の全体は、所定のメッセージフォーマットを有しているが（この特定の例が示しているように）、技術に特有なコンテナ６１２内の内容およびフォーマットは、異なるセルラー標準組織によって定義されるようにフレキシブルなままにされている。モバイルステーションは、組織フィールド６０８を使用して、技術に特有なコンテナ６１２における情報をデコードするための適切な技術を選択する。本技術が優れている点は、フレキシブルかつ拡張可能であり、Ｉｎｔｅｒｎｅｔ  Ｅｎｇｉｎｅｅｒｉｎｇ  Ｔａｓｋ  Ｆｏｒｃｅ（ＩＥＴＦ）とセルラー特定ボディ（例えば、３ＧＰＰ、３ＧＰＰ２等）との間で仕様に関する仕事を分離して行うことを可能にすることである。
【００８２】
図６におけるジェネリックコンテナメッセージ６０２のためのメッセージフォーマットは、特定の例のみであり、そのバリエーションが数多くある。例えば、ジェネリックコンテナメッセージは、タグフィールドと技術に特有なコンテナとを含むが、その他のものを含まないかもしれない。この代替例は、ジェネリックコンテナメッセージ７０２として図７に示される。この場合には、技術に特有なコンテナに見い出される特定のセルラー技術のフォーマット／プロトコルは、暗示され得る。あるいは、特定のセルラー技術のフォーマット／プロトコルは、タグフィールドにおいて示され得る。モバイルステーションは、次のタグフィールドが識別された場合に終端する技術に特有なコンテナにおける情報を読む。その他の例としては、ジェネリックコンテナメッセージは、タグフィールドとバージョンフィールドと技術に特有なコンテナとを含むが、その他のものを含まない。さらに他の例としては、ジェネリックコンテナメッセージは、タグフィールドとバージョンフィールドと長さフィールドと技術に特有なコンテナとを含む。
【００８３】
本願の上述した実施の形態は、例示のみであることが意図される。当業者であれば、本願の範囲から逸脱することなく、特定の実施の形態に対して改変および変更を実施することができるであろう。規定された請求項においてここに記載された発明は、技術におけるすべての好適な変化に及ぶことを意図する。
【図面の簡単な説明】
【００８４】
【図１】１以上のワイヤレス通信ネットワークと通信するモバイルステーションの関連コンポーネントを示すブロック図
【図２】図１の好適なモバイルステーションのより詳細な図
【図３】１以上のセルラーネットワークと通信する１以上のワイヤレスローカルエリアネットワーク（ＷＬＡＮｓ）と通信するモバイルステーションを示すシステム図
【図４】セルラーネットワーク情報を通信するためのＷＬＡＮ方法を記載したフローチャート
【図５】セルラーネットワーク情報を通信するためのモバイルステーション方法を記載したフローチャート
【図６】ＷＬＡＮによって送信され、モバイルステーションにおいて受信されるジェネリックコンテナメッセージのためのメッセージフォーマットの一例を示す図
【図７】ＷＬＡＮによって送信され、モバイルステーションにおいて受信されるジェネリックコンテナメッセージのためのメッセージフォーマットの他の例を示す図
【図１】
2005137013.tif 000005
【図２】
2005137013.tif 000006
【図３】
2005137013.tif 000007
【図４】
2005137013.tif 000008
【図５】
2005137013.tif 000009
【図６】
2005137013.tif 000010
【図７】
2005137013.tif 000011